(57)【特許請求の範囲】
【請求項１】
対物レンズと、
一端側には対物レンズが組み付けられるホルダ部が形成されるとともに、他端側には対物レンズの光軸と平行な方向に作用する磁気駆動力を発生するフォーカシングコイルと、対物レンズの光軸と直交する方向に作用する磁気駆動力を発生するトラッキングコイルとが組み付けられたボビン部材と、
このボビン部材の両側面部にそれぞれ光軸と平行な方向に離間して配置され、一端部が固定されるとともに他端部が固定部であるボビン支持部材に固定されることによってボビン部材をフォーカシング方向とトラッキング方向とに弾性変位自在に支持する複数個の弾性部材と、
マグネットが接合されるとともにフォーカシングコイルの内部に介挿される第１のヨークと、トラッキングコイルと対向するようにして位置された第２のヨークとが立ち上がり形成されることによって磁気回路部を構成しかつボビン支持部材を固定支持するベース部材とを備え、
上記複数個の弾性部材は、それぞれ板バネ材によって形成され、上記ボビン支持部材に取り付けられる基端部と、上記ボビン部材に取り付けられる嵌合部と、上記基端部と直交する方向に形成された連結片を介して互いに連結された第１の折返し片と第２の折返し片とによって形成される折返し部と、上記嵌合部と上記第２の折返し片との間に上記第２の折返し片に連続して形成される弾性変形部とを有するとともに、上記ベース部材と平行な平面に対してそれぞれ傾斜されて配置され、
上記折返し部には、上記弾性部材の共振現象を抑制する粘弾性材が添着された対物レンズ駆動装置。
【請求項２】
上記複数個の弾性部材は、上記ベース部材と平行な平面と、この平面と直交する平面とに対して面対称にそれぞれ傾斜されて配置されたことを特徴とする請求項１記載の対物レンズ駆動装置。
【請求項３】
上記第１の折返し片及び上記第２の折返し片は、それぞれ上記基端部に平行する方向に形成され、
上記第１の折返し片と上記基端部とは、上記基端部と直交する方向に形成された第２の連結片を介して連結されて第２の折返し部を形成することを特徴とする請求項１記載の対物レンズ駆動装置。
【請求項４】
対物レンズと、
一端側には対物レンズが組み付けられるホルダ部が形成されるとともに、他端側には対物レンズの光軸と平行な方向に作用する磁気駆動力を発生するフォーカシングコイルと、対物レンズの光軸と直交する方向に作用する磁気駆動力を発生するトラッキングコイルとが組み付けられたボビン部材と、
このボビン部材の両側面部にそれぞれ光軸と平行な方向に離間して配置され、一端部が固定されるとともに他端部が固定部であるボビン支持部材に固定されることによってボビン部材をフォーカシング方向とトラッキング方向とに弾性変位自在に支持する複数個の弾性部材と、
マグネットが接合されるとともにフォーカシングコイルの内部に介挿される第１のヨークと、トラッキングコイルと対向するようにして位置された第２のヨークとが立ち上がり形成されることによって磁気回路部を構成しかつボビン支持部材を固定支持するベース部材とを備え、
上記複数個の弾性部材は、それぞれ板バネ材によって形成され、上記ボビン支持部材に取り付けられる基端部と、上記ボビン部材に取り付けられる嵌合部と、上記基端部と直交する方向に形成された連結片を介して互いに連結された第１の折返し片と第２の折返し片とによって形成される折返し部と、上記嵌合部と上記第２の折返し片との間に上記第２の折返し片に連続して形成される弾性変形部とを有するとともに、上記ベース部材と平行な平面に対してそれぞれ傾斜されて配置され、
上記折返し部には、上記弾性部材の共振現象を抑制する粘弾性材が添着された対物レンズ駆動装置を有する記録再生装置。
【請求項５】
上記複数個の弾性部材は、上記ベース部材と平行な平面と、この平面と直交する平面とに対して面対称にそれぞれ傾斜されて配置されたことを特徴とする請求項４記載の記録再生装置。
【請求項６】
上記第１の折返し片及び上記第２の折返し片は、それぞれ上記基端部に平行する方向に形成され、
上記第１の折返し片と上記基端部とは、上記基端部と直交する方向に形成された第２の連結片を介して連結されて第２の折返し部を形成することを特徴とする請求項４記載の記録再生装置。
【発明の詳細な説明】
【０００１】
【産業上の利用分野】
本発明は、対物レンズ駆動装置及びこれを用いた記録再生装置に関する。
【０００２】
【従来の技術】
光ディスク、光磁気ディスク等の円盤状光記録媒体（以下、光デイスクと総称する。）を記録媒体に用いる光ディスク記録再生装置は、光ディスクに記録された情報信号を再生し、或いは情報信号を記録するための光ピックアップ装置を備えている。この光ピックアップ装置は、光ディスクの情報信号記録面に照射される光束を出射する光源としての半導体レーザと、光ディスクからの戻り光を分離するビームスプリッタ等の光学部品からなる光学系ブロックと、半導体レーザから出射された光束を対物レンズによって光ディスクの情報信号記録面に集光させるとともに記録トラックに光束を追従させる対物レンズ駆動装置とから構成されている。
【０００３】
対物レンズ駆動装置は、対物レンズを光ディスクの情報信号記録面に垂直な方向、すなわち対物レンズの光軸と平行なフォーカシング方向と、光ディスクの情報信号記録面の内外周方向、すなわち対物レンズの光軸と直交するトラッキング方向に調動する装置である。この対物レンズ駆動装置は、例えば対物レンズをフォーカシング方向に２ｍｍ、トラッキング方向に０．８ｍｍの範囲で調動するため、磁界中に配置したコイルに供給した制御電流によって生じる磁気駆動力を利用する直交２軸アクチュエータ機構を備えている。
【０００４】
そして、実用化されている直交２軸アクチュエータ機構としては、摩擦の無い円滑な駆動特性が得られるバネ支持構造方式と、組立て精度が得やすくかつ対物レンズの傾き姿勢の維持特性に優れた軸回転摺動構造方式とが提供されている。また、バネ支持構造方式の直交２軸アクチュエータ機構は、ムービングコイル形とムービングマグネット形とに分けられ、軸回転摺動構造方式の直交２軸アクチュエータ機構は、内光路形と外光路形とに分けられる。
【０００５】
一方、バネ支持構造方式の直交２軸アクチュエータ機構において、対物レンズを保持する弾性部材の構造としては、ヒンジ形構造、ワイヤ形構造或いは板バネ形構造が知られている。板バネ形構造の直交２軸アクチュエータ機構は、加工性或いは動作特性等から対物レンズ駆動装置の小型化に極めて有効である。
【０００６】
かかる板バネ形構造の直交２軸アクチュエータ機構を備えた従来の対物レンズ駆動装置１００は、図１１に示すように、対物レンズ２と、この対物レンズ２が組み付けられた対物レンズホルダ３と、この対物レンズホルダ３及び磁気回路部４を構成する後述する各部材が組み合わされたボビン部材５と、このボビン部材５を支持する４本の弾性部材１２０（１２０Ａ乃至１２０Ｄ）と、これら弾性部材１２０の基端部を支持するボビン支持部材６及び磁性材料によって形成されたベース部材７とを主たる構成部材として構成されている。
【０００７】
ボビン部材５は、上述した対物レンズホルダ３が組み付けられるホルダ部８と磁気回路部４の構成各部材が組み合わされる磁気回路部品組付け部９とから構成されている。ホルダ部８には、対物レンズホルダー３が嵌合される対物レンズ取付け穴１０が設けられている。また、このホルダ部８には、対物レンズ取付け穴１０に嵌合された対物レンズホルダ３の外側面を保持する複数の保持片１７Ａ乃至１７Ｃが一体に形成されている。
【０００８】
ボビン部材５の磁気回路部品組付け部９には、対物レンズ２を光軸と平行な方向に駆動変位させる磁気駆動力を発生させるフォーカシングコイル１２と、対物レンズ２を光軸と直交する方向に駆動変位させる磁気駆動力を発生させる一対のトラッキングコイル１３Ａ、１３Ｂ及び一対のヨーク片１４Ａ、１４Ｂとが組み付けられる。フォーカシングコイル１２は、磁気回路部品組付け部９に組み付けられた状態において、コイルの巻き方向が対物レンズ２の光軸と平行な方向であるように構成されている。トラッキングコイル１３Ａ、１３Ｂは、磁気回路部品組付け部９に組み付けられた状態において、少なくとも相対向する辺に対物レンズ２の光軸と平行な直線部分を有するように構成されている。
【０００９】
ベース部材７は、第１のヨーク片１４Ａと第２のヨーク片１４Ｂとがそれぞれ互いに平行に対峙するようにして一体に立ち上がり形成されている。第１のヨーク片１４Ａは、磁気回路部品組付け部９に組み付けられたフォーカシングコイル１２の中心孔を貫通している。また、第２のヨーク片１４Ｂは、トラッキングコイル１３Ａ、１３Ｂと対向して磁気回路部品組付け部９に貫通している。第１のヨーク片１４Ａには、第２のヨーク片１４Ｂとの対向側面に、やや厚みのある板状のマグネット１５が取り付けられている。第１のヨーク片１４Ａと第２のヨーク片１４Ｂとの先端部には、図１１において鎖線で示すように、ヨーク板１６が組み合わされる。
【００１０】
したがって、磁気回路部４は、上述したベース部材７と、このベース部材７に一体に立ち上がり形成された第１及び第２のヨーク片１４Ａ、１４Ｂと、第１のヨーク片１４Ａに取り付けられたマグネット１５及びヨーク板１６とから構成される。そして、フォーカシングコイル１２及びトラッキングコイル１３Ａ、１３Ｂは、この磁気回路部４の磁界中を横切るようにしてそれぞれ配設されている。また、これらフォーカシングコイル１２及びトラッキングコイル１３Ａ、１３Ｂへの電流の供給は、それぞれ弾性部材１２０Ａ乃至弾性部材１２０Ｄを利用して行われている。
【００１１】
ボビン支持部材６は、第１のヨーク片１４Ａ及び第２のヨーク片１４Ｂの反対側に位置してベース部材７上に組み付け固定されている。すなわち、ボビン支持部材６は、底面部に図示しない半導体レーザから出射された光束の光路を構成する逆Ｕ字状の凹部６ａが形成されるとともに、両側面部には弾性部材１２０Ａ乃至弾性部材１２０Ｄの基端部がそれぞれ差し込まれる水平方向の嵌合スリット６ｂ乃至嵌合スリット６ｅがそれぞれ上下方向に離間して設けられている。
【００１２】
弾性部材１２０Ａ乃至弾性部材１２０Ｄは、薄いバネ板材料を打ち抜き形成した部材であって、左右対象かつ上下同一形状を呈している。弾性部材１２０は、図１２に示すように、矩形の基端部１２１の一方側縁部から幅狭の弾性変形部１２２が一体に突設され、この弾性変形部１２２の先端部にボビン部材５との嵌合部１２３が形成されている。この嵌合部１２３には、ボビン部材５に形成した位置合わせダボと相対係合する位置決め孔が設けられたコイル接続部１２４が一体に形成されている。
【００１３】
弾性部材１２０には、図示しないが粘弾性材がそれぞれ添着されている。粘弾性材は、例えば紫外線硬化型の樹脂材料が用いられ、弾性部材１２０が弾性変位されたときに発生する共振動作を抑制し、或いは振動の迅速な減衰を図る作用を奏する。
【００１４】
以上のように構成された対物レンズ駆動装置１００は、フォーカシングコイル１２に、フォーカスエラー信号に応じた駆動電流が供給されると、このフォーカシングコイル１２に流れる電流と、磁気回路部４を構成するマグネット１５からの磁束とによって、ボビン部材５をフォーカシング方向へと駆動する磁気駆動力を発生する。この磁気駆動力は、対物レンズ２を光軸と平行なフォーカシング方向に調動動作させて、光ディスクに照射する半導体レーザのフォーカシングの調整を行なわせる。
【００１５】
基端部１２１がボビン支持部材６に支持された弾性部材１２０は、このフォーカシング調整動作に際して、弾性変形部１２２が図１１において上下方向に弾性変位することにより、ボビン部材５、すなわち対物レンズ２を上下方向に調動する。
【００１６】
対物レンズ駆動装置１００は、第１のトラッキングコイル１３Ａ又は第２のトラッキングコイル１３Ｂに、トラッキングエラー信号に応じた駆動電流が供給されると、これらトラッキングコイル１３Ａ又はトラッキングコイル１３Ｂの対物レンズ２の光軸と平行な部分を流れる電流と、磁気回路部４を構成するマグネット１５からの磁束とによって、ボビン部材５をトラッキング方向へと駆動する磁気駆動力を発生する。この磁気駆動力は、対物レンズ２を光軸と直交するトラッキング方向に調動動作させて、光ディスクに照射する半導体レーザのトラッキングの調整を行なわせる。
【００１７】
基端部１２１がボビン支持部材６に支持された弾性部材１２０は、このトラッキング調整動作に際して、弾性変形部１２２が図１１において左右方向に弾性変位することにより、ボビン部材５、すなわち対物レンズ２を左右方向に調動する。
【００１８】
上述した対物レンズ駆動装置１００において、対物レンズ２、対物レンズホルダ３、ボビン部材５及びフォーカシングコイル１２、トラッキングコイル１３の各部材は、全体として可動部を構成して弾性部材１２０Ａ乃至弾性部材１２０Ｄに支持されてフォーカシング方向又はトラッキング方向へと調動される。ところで、弾性部材１２０Ａ乃至弾性部材１２０Ｄは、一端部をボビン部材５に、他端部をボビン支持部材６に固定された部材であることから、両端固定梁と見做すことができる。
【００１９】
また、対物レンズ駆動装置において、上述した各部材によって構成される可動部の変位動作は、入力電流に対して低周波数帯域ではほぼ一定であるが、ある周波数値を越した高域帯では周波数が上昇するとともに−４０ｄｂ／ｄｅｃの傾きで小さな振幅の振動動作が発生する。このある特定の周波数値、すなわち一次共振周波数（ｆ０）は、弾性部材１２０の基本特性を決定し、それぞれ形状、材質で変化する。
【００２０】
したがって、対物レンズ駆動装置１００においては、上述した各部材によって構成される可動部を集中質量Ｍと見做し、弾性部材１２０の弾性変位部分の長さ寸法をＬ、幅寸法をｂ、厚み寸法をｔ、ヤング率をＥとすると、フォーカシング方向の一次共振周波数（ｆ０）を次の数式（１）で表わすことができる。なお、トラッキング方向の一次共振周波数（ｆ０）については、幅寸法ｂと厚み寸法ｔとを入れ換えて表される。
【００２１】
【数１】
0003694924.tif 000002
【００２２】
かかる対物レンズ駆動装置１００は、小型化を図るために、弾性部材１２０の弾性変位部分の長さ寸法Ｌを短くしたり、厚み寸法ｔを小さくされている。上記数式（１）より明らかなように、弾性部材１２０の基本特性を決定する一次共振周波数（ｆ０）は、弾性部材１２０の弾性変位部分の長さ寸法Ｌに関して、フォーカシング方向及びトラッキング方向のいずれにおいてもｆ０＝αＬ３／２ の関係にある。但し、αは、比例定数とする。
【００２３】
【発明が解決しようとする課題】
上述した対物レンズ駆動装置１００は、対物レンズ２を駆動させた際、フォーカシング方向及びトラッキング方向とに二次共振が発生することが避けられない。このため、対物レンズ駆動装置１００は、弾性部材１２０の基端部１２１に共振現象を抑制する粘弾性材を添着することによって、二次共振の抑制を図っている。
【００２４】
対物レンズ駆動装置１００は、図１２に示すように、板状の弾性部材１２０が、主面が水平に互いに平行にそれぞれ配設されているため、フォーカシング方向とトラッキング方向とで形状が異なっていた。したがって、対物レンズ駆動装置１００は、図１３に示すように、弾性部材１２０の基端部１２１のトラッキング方向の変位量がフォーカシング方向の変位量に比較して小さいため、振動抑制効果（以下、ダンピング効果と称する。）が充分に発揮されていないという問題点があった。すなわち、対物レンズ駆動装置１００は、対物レンズ２を駆動させた際、特にトラッキング方向において、板状の弾性部材１２０が低周波数帯域の二次共振を充分に抑制することができないという問題点があった。
【００２５】
そこで、本発明は、対物レンズをフォーカシング方向とトラッキング方向とに弾性変位自在に支持する弾性部材のトラッキング方向の変位量を大きくすることによって二次共振を抑制することを可能とし、以って感度特性の向上を達成した対物レンズ駆動装置及びこれを用いた記録再生装置を提供することを目的とする。
【００２６】
【課題を解決するための手段】
この目的を達成した本発明に係る対物レンズ駆動装置及びこれを用いた記録再生装置は、対物レンズと、一端側には対物レンズが組み付けられるホルダ部が形成されるとともに、他端側には対物レンズの光軸と平行な方向に作用する磁気駆動力を発生するフォーカシングコイルと、対物レンズの光軸と直交する方向に作用する磁気駆動力を発生するトラッキングコイルとが組み付けられたボビン部材と、このボビン部材の両側面部にそれぞれ光軸と平行な方向に離間して配置され、一端部が固定されるとともに他端部が固定部であるボビン支持部材に固定されることによってボビン部材をフォーカシング方向とトラッキング方向とに弾性変位自在に支持する複数個の弾性部材と、マグネットが接合されるとともにフォーカシングコイルの内部に介挿される第１のヨークと、トラッキングコイルと対向するようにして位置された第２のヨークとが立ち上がり形成されることによって磁気回路部を構成しかつボビン支持部材を固定支持するベース部材とを備え、上記複数個の弾性部材は、それぞれ板バネ材によって形成され、上記ボビン支持部材に取り付けられる基端部と、上記ボビン部材に取り付けられる嵌合部と、上記基端部と直交する方向に形成された連結片を介して互いに連結された第１の折返し片と第２の折返し片とによって形成される折返し部と、上記嵌合部と上記第２の折返し片との間に上記第２の折返し片に連続して形成される弾性変形部とを有するとともに、上記ベース部材と平行な平面に対してそれぞれ傾斜されて配置され、上記折返し部には、上記弾性部材の共振現象を抑制する粘弾性材が添着されている。
【００２７】
また、本発明に係る対物レンズ駆動装置及びこれを用いた記録再生装置において、複数個の弾性部材は、ベース部材と平行な平面及びこの平面と直交する平面とに対して面対称にそれぞれ傾斜されて配置されるように構成してもよい。さらに、本発明に係る対物レンズ駆動装置及びこれを用いた記録再生装置において、上記第１の折返し片及び上記第２の折返し片は、それぞれ上記基端部に平行する方向に形成され、上記第１の折返し片と上記基端部とは、上記基端部と直交する方向に形成された第２の連結片を介して連結されて第２の折返し部を形成するように構成してもよい。
【００２８】
【作用】
以上のように構成された本発明に係る対物レンズ駆動装置及びこれを用いた記録再生装置によれば、複数個の弾性部材が、ベース部材と平行な平面に対してそれぞれ傾斜された状態でボビンを支持している。このため、対物レンズ駆動装置は、ボビンを支持する弾性部材をそれぞれ傾斜させて設けることによって、低周波数帯域における二次共振時に生じるトラッキング方向の変位量が大きくなる。したがって、この対物レンズ駆動装置は、トラッキング方向の変位量が大きくなることによって、ダンピング効果が充分に発揮されて二次共振を抑制する。
【００２９】
また、本発明によれば、弾性部材がベース部材と平行な平面及びこの平面と直交する平面とに対して面対称にそれぞれ傾斜されて配設されることによって、フォーカシング方向及びトラッキング方向との両方向に同時にダンピング効果が発揮されて二次共振を抑制する。
【００３０】
さらに、本発明によれば、折返し部が形成されるとともにこの折返し部に共振を抑制する粘弾性材が添着されることによって、フォーカシング方向及びトラッキング方向とに発生する二次共振を更に抑制する。
【００３１】
【実施例】
以下、本発明の具体的な実施例を図面を参照して詳細に説明する。本発明に係る対物レンズ駆動装置１は、後述する弾性部材２０の配設状態に特徴を有し、基本的な構成を上述した従来の対物レンズ駆動装置１００とほぼ同様とした板バネ形構造の直交２軸アクチュエータ機構を備えた対物レンズ駆動装置である。したがって、以下の説明においては、上述した従来の対物レンズ駆動装置１００と同一部材には同一番号を付す。なお、対物レンズ駆動装置１は、後述するように４本の弾性部材２０Ａ乃至弾性部材２０Ｄを備えているが、これらを共通して説明する場合には単に弾性部材２０と表現する。
【００３２】
すなわち、対物レンズ駆動装置１は、図１乃至図３に示すように、対物レンズ２と、この対物レンズ２が組み付けられた対物レンズホルダ３と、この対物レンズホルダ３及び磁気回路部４を構成する後述する各部材が組み合わされたボビン部材５と、このボビン部材５を支持するところの後述する４本の弾性部材２０（２０Ａ乃至２０Ｄ）と、これら弾性部材２０の基端部を支持するボビン支持部材６及び磁性材料によって形成されたベース部材７とを主たる構成部材として構成されている。
【００３３】
ボビン部材５は、合成樹脂材料によって成形され、上述した対物レンズホルダ３が組み付けられるホルダ部８と、磁気回路部４の構成各部材が組み合わされる磁気回路部品組付け部９とから構成されている。ホルダ部８は、対物レンズ２を組み合わせた対物レンズホルダ３が嵌合される対物レンズ取付け穴１０が設けられた全体が薄厚の筒状部として構成されている。また、このホルダ部８には、対物レンズ取付け穴１０に嵌合された対物レンズ３の外周面を保持する複数の保持片１７Ａ乃至保持片１７Ｃが一体に形成されている。
【００３４】
ボビン部材５の磁気回路部品組付け部９は、略々凸字状の大きな開口部として構成され、対物レンズ２を光軸と平行な方向に駆動変位させる磁気駆動力を発生させるフォーカシングコイル１２と、対物レンズ２を光軸と直交する方向に駆動変位させる磁気駆動力を発生させる一対のトラッキングコイル１３Ａ、１３Ｂが組み付けられる。フォーカシングコイル１２は、対物レンズ取付け穴１０と反対側のやや幅広の開口部側に位置して磁気回路部品組付け部９に組み付けられる。
【００３５】
磁気回路部品組付け部９に対応するボビン部材５の両側面部には、後述する弾性部材２０Ａ乃至弾性部材２０Ｄのそれぞれの嵌合部２３Ａ乃至嵌合部２３Ｄが差し込まれる水平方向の嵌合スリット５ａ乃至嵌合スリット５ｄがそれぞれ上下方向に離間して設けられている。したがって、ボビン部材５は、これら弾性部材２０Ａ乃至弾性部材２０Ｄによって、上下方向及び左右方向に弾性変位自在に支持されることになる。
【００３６】
フォーカシングコイル１２は、磁気回路部品組付け部９を構成するコイル組付け開口部１１の開口寸法とほぼ同径の角筒状を呈しており、このコイル組付け開口部１１に嵌着されて組み付けられる。また、フォーカシングコイル１２は、コイル組付け開口部１１に組み付けられた後、外周面と開口部内壁との間に接着剤が充填されることによって、ボビン部材５にしっかりと固定される。また、フォーカシングコイル１２は、コイル組付け開口部１１に組み付けられた状態において、コイルの巻き方向が対物レンズ２の光軸と直交する方向であるように構成されている。
【００３７】
トラッキングコイル１３Ａ、１３Ｂは、それぞれ薄幅の矩形枠状を呈して構成されており、フォーカシングコイル１２の一方側面部と対物レンズとの間に位置するようにして、互いに一方側面部を重ね合わせるようにして磁気回路部品組付け部９を構成するコイル組付け開口部１１に嵌着されて組み付けられる。これらトラッキングコイル１３Ａ、１３Ｂは、フォーカシングコイル１２の一方側面部に接着剤によってしっかりと固定される。また、これらトラッキングコイル１３Ａ、１３Ｂは、磁気回路部品組付け部９に組み付けられた状態において、少なくとも相対向する辺に対物レンズ２の光軸と平行な直線部分を有するように構成されている。
【００３８】
ベース部材７は、詳細な形状の図示を省略するが、珪素鋼等の高透磁率材料によって略々Ｈ字状に形成され、中央連結片の相対向する側縁部から第１のヨーク片１４Ａと第２のヨーク片１４Ｂとがそれぞれ互いに平行に対峙するようにして一体に立ち上がり形成されている。
【００３９】
第１のヨーク片１４Ａは、磁気回路部品組付け部９に組み付けられたフォーカシングコイル１２の中心孔を貫通している。また、第２のヨーク片１４Ｂは、トラッキングコイル１３Ａ、１３Ｂと対向して磁気回路部品組付け部９に貫通している。第１のヨーク片１４Ａには、第２のヨーク片１４Ｂとの対向側面に、やや厚みのある板状のマグネット１５が接着剤等を用いてしっかりと取付け固定されている。第１のヨーク片１４Ａと第２のヨーク片１４Ｂとの先端部には、図１において鎖線で示すように、磁性材で形成したヨーク板１６が組み合わされる。
【００４０】
したがって、磁気回路部４は、上述したベース部材７と、このベース部材７に一体に立ち上がり形成された第１のヨーク片１４Ａ及び第２のヨーク片１４Ｂと、第１のヨーク片１４Ａに取り付けられたマグネット１５及びヨーク板１６とから構成される。そして、フォーカシングコイル１２及びトラッキングコイル１３Ａ、１３Ｂは、この磁気回路部４の磁界中を横切るように位置して磁気回路部品組付け部９に組み付けられている。また、これらフォーカシングコイル１２及びトラッキングコイル１３Ａ、１３Ｂへの電流の供給は、後述するように、弾性部材２０Ａ乃至弾性部材２０Ｄを利用して行われている。
【００４１】
ボビン支持部材６は、第１のヨーク片１４Ａ及び第２のヨーク片１４Ｂの反対側に位置して、中央開口部分を跨ぐようにしてベース部材７に組み付けられている。すなわち、ボビン支持部材６は、底面部に図示しない半導体レーザから出射された光束の光路を構成する逆Ｕ字状の凹部６ａが形成されるとともに、両側面部にはボビン部材５を支持する弾性部材２０Ａ乃至弾性部材２０Ｄの基端部２１Ａ乃至基端部２１Ｄがそれぞれ差し込まれる嵌合スリット６ｂ乃至嵌合スリット６ｅがそれぞれ上下方向に離間して傾斜されて設けられている。
【００４２】
弾性部材２０Ａ乃至弾性部材２０Ｄは、例えば、リン青銅やベリリウム銅等の薄いバネ板材料を打ち抜き形成した部材であって、ボビン支持部材６の左側面部に組み付けられる弾性部材２０Ａ、２０Ｂと、右側面部に組み付けられる弾性部材２０Ｃ、２０Ｄとは互いに上下及び左右に対象形とされるとともに、同一側面部に組み付けられる弾性部材２０Ａ、２０Ｂ及び弾性部材２０Ｃ、２０Ｄとは互いに同一形状とされている。
【００４３】
図４を参照してこれら弾性部材２０の構成を説明すれば、弾性部材２０は、ボビン支持部材６の両側面部に設けた嵌合スリット６ｂ乃至嵌合スリット６ｄにそれぞれ差し込まれる略矩形状の基端部２１と、幅狭の弾性変形部２２と、ボビン部材５の両側面部に設けた嵌合スリット５ａ乃至嵌合スリット５ｄにそれぞれ差し込まれる略矩形状の嵌合部２３とから構成されている。弾性部材２０の基端部２１の近傍には、互いに組み合わされた状態でＬ字状の開口部３０と矩形状の開口部３１とを打ち抜くことによって、全体が略Ｕ字状を呈する折返し部２９が形成されている。
【００４４】
すなわち、折返し部２９は、基端部２１と直交する方向の連結片２７を介して互いに連結された基端部２１と平行する方向の第１の折返し片２６及び第２の折返し片２８とから構成されている。外側に位置する第２の折返し片２８は、そのまま弾性変形部２２と連続している。なお、基端部２１の他端部３３は、折返し部２９を囲むように切り残されてリード線接続部として構成されている。
【００４５】
また、弾性部材２０は、嵌合部２３の一端側に、弾性変形部２２と平行なコイル接続片２４が一体に形成されている。このコイル接続片２４には、ボビン部材５の上下面に形成された半球状の位置決めダボ３２に対応して位置決め孔２５が設けられている。
【００４６】
弾性部材２０Ａ乃至弾性部材２０Ｄは、基端部２１Ａ乃至基端部２１Ｄがボビン支持部材６の両側面部に設けた嵌合スリット６ｂ乃至嵌合スリット６ｄにそれぞれ差し込まれて固定されることにより、ボビン支持部材６にそれぞれ片持ち状態で支持される。そして、弾性部材２０Ａ乃至弾性部材２０Ｄは、自由端側の嵌合部２３Ａ乃至嵌合部２３Ｄがボビン部材５の両側面部に設けた嵌合スリット５ａ乃至嵌合スリット５ｄにそれぞれ差し込まれて固定されることにより、このボビン部材５を上下方向及び左右方向に弾性支持する。
【００４７】
また、弾性部材２０Ａ乃至弾性部材２０Ｄは、ボビン部材５をボビン支持部材６に弾性支持するように、これら両部材間に組み合わせられた状態において、コイル接続片２４の位置決め孔２５がボビン部材５の位置決めダボ３２にそれぞれ相対係合される。コイル接続片２４には、フォーカシングコイル１２及びトラッキングコイル１３Ａ、１３Ｂのコイル線がそれぞれ接続される。また、基端部２１のリード線接続部３３には、フォーカシングコイル１２及びトラッキングコイル１３Ａ、１３Ｂに駆動電流を供給する駆動源とを接続するリード線が接続される。したがって、弾性部材２０は、フォーカシングコイル１２及びトラッキングコイル１３Ａ、１３Ｂへの電流供給線としても機能する。
【００４８】
なお、本発明は、上述した弾性部材２０に限定されるものではなく、種々展開されるものである。すなわち、基端部の近傍に形成される折返し部は、弾性変形部の長手方向であるＸ軸と、トラッキング方向であるＹ軸によって構成される面、換言すればベース部材と平行な面内において、Ｘ軸方向に対して少なくとも１箇所に略Ｕ字状に連続して折り返された部位として構成されればよく、折返し片の長さ寸法、幅寸法或いは折返し部の数等については、ダンピングの付与方法等、対物レンズ駆動装置の設計条件に応じて設定される。また、ベース部材と直交する方向を幅寸法とした弾性部材については、トラッキング方向であるＹ軸とフォーカシング方向であるＺ軸によって構成される面内で、上述した折返し部が形成されることは勿論である。
【００４９】
さらに、弾性部材２０Ａ乃至２０Ｄは、折返し部２９に、共振を抑制する粘弾性材５０Ａ乃至５０Ｄがそれぞれ添着されている。ここで、弾性部材２０Ａ乃至２０Ｄに添着される粘弾性材５０Ａ乃至５０Ｄとしては、一般にブチル、ゴム等の減衰特性の大きい粘弾性を有するゲル状の合成樹脂材料等が用いられるが、例えば、紫外線硬化型の合成樹脂を用いた場合には、紫外線の照射量を制御することによって所望の粘弾性率を得ることができ、極めて効果的である。
【００５０】
そして、弾性部材２０Ａ乃至２０Ｄは、図５及び図６に示すように、ボビン支持部材６に、ベース部材７と平行な平面及びこの平面と直交する平面に対して面対称にそれぞれ傾斜されて配設されている。そして、これら弾性部材２０Ａ乃至２０Ｄは、ベース部材７に平行な平面に対して、ほぼ４５度の傾斜角でそれぞれ傾斜されている。これらの弾性部材２０Ａ、２０Ｂ及び弾性部材２０Ｃ、２０Ｄは、図９に示すように、ボビン支持部材６の内方に開かれた断面ハ字状を呈してそれぞれ配設されている。
【００５１】
以上のように構成された対物レンズ駆動装置１を備えた光ピックアップ装置は、半導体レーザから出射された光束を対物レンズ２を介して光ディスクの情報記録面に照射するとともに、この情報記録面からの反射光を対物レンズ２を介してビームスプリッタによって分光し、フォーカシング方向とトラッキング方向との差異をディテクターによって検出する。検出されたフォーカシング方向とトラッキング方向の位置ずれは、フォーカスエラー信号或いはトラッキングエラー信号としてサーボ回路で処理され、それらに応じた駆動電流がフォーカシングコイル１２及びトラッキングコイル１３Ａ、１３Ｂへ供給される。
【００５２】
対物レンズ駆動装置１は、フォーカシングコイル１２にフォーカスエラー信号に応じた駆動電流が供給されると、このフォーカシングコイル１２に流れる電流と、磁気回路部４を構成するマグネット１５からの磁束とによって、ボビン部材５をフォーカシング方向へと駆動する磁気駆動力を発生させる。この磁気駆動力は、弾性部材２０Ａ乃至弾性部材２０Ｄを上下方向に弾性変位させ、ボビン部材５、換言すれば対物レンズ２を光軸と平行なフォーカシング方向へと調動させて、光ディスクに照射する半導体レーザのフォーカシングの調整を行わせる。
【００５３】
対物レンズ駆動装置１は、第１のトラッキングコイル１３Ａ又は第２のトラッキングコイル１３Ｂに、トラッキングエラー信号に応じた駆動電流が供給されると、これらトラッキングコイル１３Ａ、１３Ｂに流れる電流と、磁気回路部４を構成するマグネット１５からの磁束とによって、ボビン部材５をトラッキング方向へと駆動する磁気駆動力を発生させる。この磁気駆動力は、弾性部材２０Ａ乃至弾性部材２０Ｄを左右方向へと弾性変位させ、ボビン部材５、換言すれば対物レンズ２を光軸と直交するトラッキング方向へと調動させて、光ディスクに照射する半導体レーザのトラッキングの調整を行わせる。
【００５４】
つぎに、弾性部材２０Ａ乃至２０Ｄについて、対物レンズ２が駆動された際における変位動作を図７を参照して説明する。弾性部材２０Ａ乃至２０Ｄは、図７に示すように、対物レンズ２が駆動された際、弾性変形部２２Ａ乃至２２Ｄのほぼ中央部を支点としてトラッキング方向にそれぞれ変位されることによって、折返し部２９Ａ乃至２９Ｄのトラッキング方向の変位量が大きくされている。したがって、弾性部材２０は、ダンピング効果が充分に発揮されて、二次共振を抑制する。
【００５５】
上述したように、対物レンズ駆動装置１によれば、弾性部材２０Ａ乃至２０Ｄが、ベース部材７と平行な平面に対してそれぞれ傾斜されて配設されたことによって、対物レンズ２が駆動された際のトラッキング方向の変位量が大きくされるため、ダンピング効果を充分に発揮させることができる。したがって、この対物レンズ駆動装置１は、トラッキング方向の低周波数帯域における二次共振を抑制されて感度特性を向上させることが可能とされる。
【００５６】
また、対物レンズ駆動装置１は、弾性部材２０Ａ乃至２０Ｄが、ベース部材７と平行な平面及びこの平面と直交する平面とに対して面対称にそれぞれ４５度の傾斜角で傾斜されて配設された弾性部材２０Ａ乃至２０Ｄを備えることによって、フォーカシング方向及びトラッキング方向との両方向に同時に粘弾性材によるダンピング効果を発揮することができる。したがって、この対物レンズ駆動装置１は、二次共振が抑制されて良好な振動特性が得られるとともに、感度特性を向上することが可能とされる。
【００５７】
さらに、対物レンズ駆動装置１によれば、折返し部２９が形成されるとともにこの折返し部２９に共振を抑制する粘弾性材５０Ａ乃至５０Ｄが添着された弾性部材２０Ａ乃至２０Ｄを備えることによって、フォーカシング方向及びトラッキング方向との二次共振が更に抑制されて良好な振動特性が得られるとともに、感度特性を向上させることが可能とされる。
【００５８】
本発明は、上述した弾性部材の配設状態に限定されるものでなく適宜変更しても良い。
【００５９】
例えば、弾性部材２０Ａ乃至２０Ｄは、図８及び図９に示すように、ボビン支持部材６に、ベース部材７と平行な平面及びこの平面と直交する平面に対して面対称にそれぞれ傾斜されて配設されている。これら弾性部材２０Ａ乃至２０Ｄは、ベース部材７に平行な平面に対して、ほぼ４５度の傾斜角でそれぞれ傾斜されている。これら弾性部材２０Ａ、２０Ｂ及び弾性部材２０Ｃ、２０Ｄは、図９に示すように、ボビン支持部材６の外方に開かれた断面ハ字状を呈してそれぞれ配設されている。
【００６０】
上述したように配設された弾性部材２０Ａ乃至２０Ｄは、図１０に示すように、対物レンズ２が駆動された際、折返し部２９Ａ乃至２９Ｄをほぼ支点としてトラッキング方向にそれぞれ変位され、トラッキング方向の変位量が大きくされている。したがって、弾性部材２０は、ダンピング効果が充分に発揮されて、二次共振を抑制する。
【００６１】
尚、基本的な構成は、上述した対物レンズ駆動装置１とほぼ同一であるので、共通する部材には共通の符号を付して詳細な説明は省略する。図８及び図９に示すように構成された対物レンズ駆動装置は、弾性部材２０Ａ乃至２０Ｄが、ベース部材７と平行な平面に対してそれぞれ傾斜されて配設されたことによって、対物レンズ２が駆動された際のトラッキング方向の変位量が大きくされ、ダンピング効果を充分に発揮させることができる。したがって、この対物レンズ駆動装置は、トラッキング方向の低周波数帯域における二次共振を抑制されて感度特性を向上させることが可能とされる。
【００６２】
また、この弾性部材２０Ａ乃至２０Ｄを用いた対物レンズ駆動装置は、弾性部材２０Ａ乃至２０Ｄが、ベース部材７と平行な平面及びこの平面と直交する平面とに対して面対称にそれぞれ４５度の傾斜角で傾斜されて配設されることによって、フォーカシング方向及びトラッキング方向との両方向に同時にダンピング効果を発揮することができる。したがって、この対物レンズ駆動装置は、二次共振が抑制されて良好な振動特性が得られるとともに、感度特性を向上させることが可能とされる。
【００６３】
【発明の効果】
本発明に係る対物レンズ駆動装置及びこれを用いた記録再生装置によれば、ベース部材と平行な平面に対してそれぞれ傾斜されて配設された複数個の弾性部材を備えることによって、対物レンズが駆動された際のトラッキング方向の変位量が大きくされるため、ダンピング効果を充分に発揮させることができる。したがって、この対物レンズ駆動装置は、トラッキング方向の低周波数帯域における二次共振を抑制されて感度特性を向上させることが可能とされる。
【００６４】
また、本発明に係る対物レンズ駆動装置によれば、ベース部材と平行な平面及びこの平面と直交する平面とに対して面対称にそれぞれ傾斜されて配設された複数個の弾性部材を備えることによって、フォーカシング方向及びトラッキング方向との両方向に同時にダンピング効果を発揮することができる。したがって、この対物レンズ駆動装置は、二次共振が抑制されて良好な振動特性が得られるとともに、感度特性を向上させることが可能とされる。
【００６５】
さらに、本発明に係る対物レンズ駆動装置によれば、少なくとも１箇所に折り返された部位が連続して構成される折返し部が形成されるとともにこの折返し部に共振を抑制する粘弾性材が添着された複数個の弾性部材を備えることによって、フォーカシング方向及びトラッキング方向との二次共振が更に抑制されて良好な振動特性が得られるとともに、感度特性を向上させることが可能とされる。
【図面の簡単な説明】
【図１】本発明に係る対物レンズ駆動装置を示す全体斜視図である。
【図２】上記対物レンズ駆動装置を示す全体平面図である。
【図３】上記対物レンズ駆動装置を示す全体側面図である。
【図４】上記対物レンズ駆動装置に用いられる弾性部材を一部省略して示した斜視図である。
【図５】上記弾性部材の配設状態を示す斜視図である。
【図６】上記弾性部材の配設状態を示す正面図である。
【図７】上記弾性部材の変位状態を示す平面図である。
【図８】本発明に係る対物レンズ駆動装置を構成する弾性部材の他の例を示す平面図である。
【図９】他の例の弾性部材の配設状態を示す正面図である。
【図１０】他の例の弾性部材の変位状態を示す平面図である。
【図１１】従来の対物レンズ駆動装置を示す斜視図である。
【図１２】従来の対物レンズ駆動装置を構成する弾性部材の配設状態を示す斜視図である。
【図１３】従来の対物レンズ駆動装置を構成する弾性部材を説明するために示す平面図である。
【符号の説明】
１  対物レンズ駆動装置、  ２  対物レンズ、  ５  ボビン部材、  ６  ボビン支持部材、  ７  ベース部材、  ８  ホルダ部、  ９  磁気回路部品組付け部、１１  コイル組付け開口部、  １２  フォーカシングコイル、  １３  トラッキングコイル、  １４  ヨーク、  １５  マグネット、  ２０（２０Ａ乃至２０Ｄ）  弾性部材、  ２１  基端部、  ２２  弾性変形部、  ２３  嵌合部、  ２９  折返し部、  ５０  粘弾性材
【図１】
0003694924.tif 000003
【図２】
0003694924.tif 000004
【図３】
0003694924.tif 000005
【図４】
0003694924.tif 000006
【図５】
0003694924.tif 000007
【図６】
0003694924.tif 000008
【図７】
0003694924.tif 000009
【図８】
0003694924.tif 000010
【図９】
0003694924.tif 000011
【図１０】
0003694924.tif 000012
【図１１】
0003694924.tif 000013
【図１２】
0003694924.tif 000014
【図１３】
0003694924.tif 000015